(57)【要約】【課題】複数の装置からの画像データの入力及び該画像データに基づく印刷を簡単に行うことができる印刷装置を提供すること。【解決手段】プリンタ１１は、テレビジョン等からケーブルを介して画像データを入力するための入出力インターフェースを備える。また、無線通信機能を有したデジタルカメラＤＣ及び携帯電話ＭＴから無線通信を介して画像データを入力する、アンテナを有する通信インターフェースを備え、入力された画像データに基づき印刷する。そしてプリンタ１１は、デジタルカメラＤＣ及び携帯電話ＭＴを設置する載置板１５を備え、載置板１５の下方の表示板１４には、設置箇所を表示する各円形部Ｚ４ａ，Ｚ５ａが形成されている。この円形部Ｚ４ａ，Ｚ５ａの下方にはアンテナが配設されており、その円形部Ｚ４ａ，Ｚ５ａで指定された箇所にデジタルカメラＤＣ又は携帯電話ＭＴを設置した状態で、アンテナを介して画像データを入力する。【選択図】      図１
2004262091.tif 000002
【特許請求の範囲】
【請求項１】
第１の外部装置から、ケーブルを介して画像データを入力するための第１の入力手段と、無線通信機能を有した第２の外部装置から無線通信を介して画像データを入力する、アンテナを有する第２の入力手段とを備え、前記画像データを印刷データに変換して印刷を行う印刷装置において、
前記第２の外部装置を設置する設置手段を備え、
その設置手段に、前記第２の外部装置の設置箇所を指定する設置部を形成すると共に、その設置部に対応した位置に前記アンテナを配設し、その設置部に前記第２の外部装置を設置した状態で、前記第２の入力手段のアンテナを介して前記画像データを入力することを特徴とする印刷装置。
【請求項２】
請求項１に記載の印刷装置において、
前記第２の外部装置に備えられた被充電手段を、非接触で充電させる充電手段を前記設置手段の下方に備え、前記第２の外部装置を前記設置手段に設置した状態で前記第２の外部装置を充電することを特徴とする印刷装置。
【請求項３】
請求項１又は２に記載の印刷装置において、
前記設置手段に発光手段を備え、
前記第１の外部装置又は前記第２の外部装置からの画像データの入力、前記画像データに基づく印刷又は前記第２の外部装置の充電の進行状況を発光にて表示することを特徴とする印刷装置。
【請求項４】
請求項１〜３のいずれか１つに記載の印刷装置において、
前記第１の外部装置は、コンピュータ端末、テレビジョン又はファクシミリのいずれかであることを特徴とする印刷装置。
【請求項５】
請求項１〜４のいずれか１つに記載の印刷装置において、
前記第１の外部装置の一つは、コンピュータ端末又はテレビジョンであって、前記コンピュータ端末又は前記テレビジョンの表示部に、前記第２の外部装置から入力された前記画像データを表示させる表示制御手段を備えたことを特徴とする印刷装置。
【請求項６】
請求項１〜５のいずれか１つに記載の印刷装置において、
前記第１の外部装置の一つは、テレビジョンであって、
前記テレビジョンの表示部に表示された画像データを、画像データとして取得すると共に、該画像データを印刷データに変換するデータ変換手段を備え、該印刷データに基づいて印刷することを特徴とする印刷装置。
【請求項７】
請求項１〜６のいずれか１つに記載の印刷装置において、
前記第２の外部装置は、デジタルカメラ、携帯電話又はＰＤＡのいずれかであることを特徴とする印刷装置。
【発明の詳細な説明】
【０００１】
【発明の属する技術分野】
本発明は、印刷装置に関する。
【０００２】
【従来の技術】
最近、ＯＡ機器の接続は無線ＬＡＮ等によってワイヤレス化が進んでおり、美観や利便性の向上が図られている。一方、印刷装置としてのインクジェット式プリンタ（以下、プリンタという。）には、コンピュータ端末から画像データを無線通信にて受信し、この画像データに基づいて印刷を行うものがあった。このコンピュータ端末は、デジタルカメラ等の持ち運び可能な装置と、ケーブルを介して接続し、データの受信を行っていた（例えば、特許文献１参照。）。
【０００３】
【特許文献１】
特開２００２−２４８７５１号公報
【０００４】
【発明が解決しようとする課題】
ところが、上記のプリンタが、コンピュータ端末と無線通信で各種データの送受信を行う一方、そのコンピュータ端末はデジタルカメラとケーブルを介して接続している。従って、デジタルカメラからプリンタに画像データを入力する際に、コンピュータ端末を使用するだけでなく、デジタルカメラとコンピュータ端末とをケーブルで接続するため、手間がかかる。
【０００５】
本発明の目的は、複数の装置からの画像データの入力及び該画像データに基づく印刷を簡単に行うことができる印刷装置を提供することにある。
【０００６】
【課題を解決するための手段】
本発明の印刷装置は、第１の外部装置から、ケーブルを介して画像データを入力するための第１の入力手段と、無線通信機能を有した第２の外部装置から無線通信を介して画像データを入力する、アンテナを有する第２の入力手段とを備え、前記画像データを印刷データに変換して印刷を行う印刷装置において、前記第２の外部装置を設置する設置手段を備え、その設置手段に、前記第２の外部装置の設置箇所を指定する設置部を形成すると共に、その設置部に対応した位置に前記アンテナを配設し、その設置部に前記第２の外部装置を設置した状態で、前記第２の入力手段のアンテナを介して前記画像データを入力する。
【０００７】
これによれば、印刷装置の設置手段に第２の外部装置を設置する設置部が形成される。そして、その設置部に対応した位置に、無線通信にて画像データを授受するためのアンテナが配設される。このため、設置部に第２の外部装置を設置することにより、無線通信にて印刷装置に画像データを入力させることができる。このため、画像データを入力させる度に、第２の外部装置と印刷装置とをケーブルで接続させる手間を省くことができ、第２の外部装置を設置部に設置することにより簡単に画像データを印刷装置に入力させ、この画像データに基づいて印刷処理を実行することができる。
【０００８】
この印刷装置において、前記第２の外部装置に備えられた被充電手段を、非接触で充電させる充電手段を前記設置手段の下方に備え、前記第２の外部装置を前記設置手段に設置した状態で前記第２の外部装置を充電するようにしてもよい。
【０００９】
これによれば、第２の外部装置を設置手段に設置することにより、第２の外部装置を印刷装置を使用して充電させることができる。又、非接触で充電させるため、接続端子を設ける必要がない。
【００１０】
この印刷装置において、前記設置手段に発光手段を備え、前記第１の外部装置又は前記第２の外部装置からの画像データの入力、前記画像データに基づく印刷又は前記第２の外部装置の充電の進行状況を発光にて表示するようにしてもよい。
【００１１】
これによれば、外部から、前記第１の外部装置又は前記第２の外部装置からの画像データの入力、前記画像データに基づく印刷又は前記第２の外部装置の充電の進行状況を、発光手段の発光による表示によって確認することができる。
【００１２】
この印刷装置において、前記第１の外部装置は、コンピュータ端末、テレビジョン又はファクシミリのいずれかであるようにしてもよい。
これによれば、コンピュータ端末、テレビジョン又はファクシミリから、画像データを印刷装置に入力させ、この画像データに基づいて印刷することができる。
【００１３】
この印刷装置において、前記第１の外部装置の一つは、コンピュータ端末又はテレビジョンであって、前記コンピュータ端末又は前記テレビジョンの表示部に、前記第２の外部装置から入力された前記画像データを表示させる表示制御手段を備えてもよい。
【００１４】
これによれば、第２の外部装置の画像データを、コンピュータ端末又はテレビジョンの表示部に表示して、確認することができる。
この印刷装置において、前記第１の外部装置の一つは、テレビジョンであって、前記テレビジョンの表示部に表示された画像データを、画像データとして取得すると共に、該画像データを印刷データに変換するデータ変換手段を備え、該印刷データに基づいて印刷するようにしてもよい。
【００１５】
これによれば、テレビジョンの表示部に画像データに基づいて表示された画像を、印印刷装置を使用して印刷することができる。
この印刷装置において、前記第２の外部装置は、デジタルカメラ、携帯電話又はＰＤＡのいずれかであるようにしてもよい。
【００１６】
これによれば、デジタルカメラ、携帯電話又はＰＤＡからの画像データを印刷装置に入力して、この画像データに基づいて印刷を行うことができる。
【００１７】
【発明の実施の形態】
以下、本発明を具体化した一実施形態を図１〜図３に従って説明する。図１は、本実施形態のインクジェット式プリンタ（以下、プリンタという。）の斜視図である。印刷装置としてのプリンタ１１は、図１に示すように、略直方体形状のケース１２を備えている。ケース１２の前面１２ａには、液晶で構成された表示パネル１３が配設されている。表示パネル１３には、リモコンＲＣの操作により各種モードのメッセージが表示される。
【００１８】
表示パネル１３よりも下方であって、ケース１２の前面１２ａの中央には、排出口１２ｂが形成されている。この排出口１２ｂは、プリンタ１１によって印刷された紙を排出するためのものである。
【００１９】
又、ケース１２には、上面において凹部が形成されており、この凹部には、表示板１４が配設されるとともに、その表示板１４の上側には設置手段としての載置板１５が配設されている。
【００２０】
前記表示板１４は、第１〜第５表示領域Ｚ１〜Ｚ５と、非表示領域Ｚ６とに区画されている。表示板１４における第１〜第５表示領域Ｚ１〜Ｚ５は、光を透過させる半透明の構造で形成されている。表示板１４における第１〜第５表示領域Ｚ１〜Ｚ５以外の非表示領域Ｚ６は、光を透過させない不透明な構造で形成されている。
【００２１】
第１表示領域Ｚ１は、表示板１４の中央に区画形成され、直線形状を成し、ケース１２の背面１２ｅ側から前面１２ａ側へ延びるように形成されている。第２表示領域Ｚ２は、２箇所で屈折した折れ線の形状を成しており、前記第１表示領域Ｚ１の左隣りに区画形成されている。第３表示領域Ｚ３は、前記第２表示領域Ｚ２と左右対称な形状をしており、前記第１表示領域Ｚ１の右側に区画形成されている。
【００２２】
設置部を構成する第４表示領域Ｚ４は、円形部Ｚ４ａと折れ線部Ｚ４ｂとを組み合わせた形状を成し、前記第２表示領域Ｚ２の左隣りに区画形成される。この第４表示領域Ｚ４の円形部Ｚ４ａは、後記するデジタルカメラＤＣ又は携帯電話ＭＴをその円形部Ｚ４ａ付近に置くように指定するための形状である。
【００２３】
設置部を構成する第５表示領域Ｚ５は、円形部Ｚ５ａと折れ線部Ｚ５ｂとを組み合わせた形状であって、前記第４表示領域Ｚ４と左右対称の形状を成し、前記第３表示領域Ｚ３の右隣りに区画形成される。この第５表示領域Ｚ５の円形部Ｚ５ａは、前記円形部Ｚ４ａと同様にデジタルカメラＤＣ又は携帯電話ＭＴの載置を指定するための形状である。
【００２４】
そして、前記表示板１４の下方のケース１２内に、第１〜第５表示領域Ｚ１〜Ｚ５から、それぞれ独立して光を放射するための、発光手段を構成する発光素子Ｌ１〜Ｌ３，Ｌ４ａ，Ｌ４ｂ，Ｌ５ａ，Ｌ５ｂ（図２参照）が設けられている。尚、第４表示領域Ｚ４の円形部Ｚ４ａ及び折れ線部Ｚ４ｂは、それぞれ発光素子Ｌ４ａ，Ｌ４ｂから光がそれぞれ独立して放射されるようになっている。第５表示領域Ｚ５の円形部Ｚ５ａ及び折れ線部Ｚ５ｂは、それぞれ発光素子Ｌ５ａ，Ｌ５ｂから光がそれぞれ独立して放射されるようになっている。
【００２５】
第１表示領域Ｚ１は、プリンタ１１が後記する第１の外部装置としてのコンピュータ端末Ｓ１と関連した処理を実行しているとき、発光素子Ｌ１が発光されて、その光によって表示されるようになっている。第２表示領域Ｚ２は、プリンタ１１が後記する第１の外部装置としてのテレビジョンＳ２と関連した処理を実行しているとき、発光素子Ｌ２が発光されて、その光によって表示されるようになっている。第３表示領域Ｚ３は、プリンタ１１が後記する第１の外部装置としてのファクシミリＳ３と関連した処理を実行しているとき、発光素子Ｌ３が発光されて、その光によって表示されるようになっている。
【００２６】
第４表示領域Ｚ４は、プリンタ１１が後記する第２の外部装置としてのデジタルカメラＤＣ又は携帯電話ＭＴと関連した処理を実行しているとき、発光素子Ｌ４ａ，Ｌ４ｂが発光されて、その光によって表示されるようになっている。尚、第４表示領域Ｚ４の円形部Ｚ４ａは、前記第２の外部装置と充電に関する処理を実行しているとき、発光素子Ｌ４ａが発光されて、その光によって表示されるようになっている。
【００２７】
第５表示領域Ｚ５は、同じくプリンタ１１が後記する第２の外部装置としてのデジタルカメラＤＣ又は携帯電話ＭＴと関連した処理を実行しているとき、発光素子Ｌ５ａ，Ｌ５ｂが発光されて、その光によって表示されるようになっている。尚、第５表示領域Ｚ５の円形部Ｚ５ａは、同様に、前記第２の外部装置と充電に関する処理を実行しているとき、発光素子Ｌ５ａが発光されて、その光によって表示されるようになっている。
【００２８】
前記表示板１４の上側に配設された載置板１５は、透明板であって下側に配設された表示板１４を透視することができる。従って、載置板１５の上方から、発光素子Ｌ１〜Ｌ３，Ｌ４ａ，Ｌ４ｂ，Ｌ５ａ，Ｌ５ｂの光によって表示される表示板１４の第１〜第５表示領域Ｚ１〜Ｚ５を視認することができる。
【００２９】
この載置板１５は、デジタルカメラＤＣ及び携帯電話ＭＴを載置する載置手段であって、その載置位置が前記表示板１４の第４及び第５表示領域Ｚ４，Ｚ５の円形部Ｚ４ａ，Ｚ５ａの上方に指定されている。
【００３０】
又、プリンタ１１は、ケース１２内にキャリッジ２１及び記録ヘッド２２等を備えている。キャリッジ２１は、図示しないガイド部材に沿って、ケース１２の右側面１２ｃと左側面１２ｄとの間を、前面１２ａ及び背面１２ｅと平行な方向に往復移動する。又、キャリッジ２１には、下面にノズルを有する記録ヘッド２２が搭載されており、同記録ヘッド２２は図示しないインクタンクからインクを供給される。
【００３１】
又、ケース１２の背面１２ｅには、ロール紙が備えられており、ケース１２内部には、給紙機構及び切断機構が設けられている（いずれも図示せず）。給紙機構は、複数のローラ等から構成されており、同ローラは、ロール紙を記録ヘッド２２と対向するように給紙する。給紙されたロール紙は、印刷が行われた後、前記紙送り機構により案内される。そして、可動刃、紙切断モータ等から構成される切断機構により切断され、１枚ずつ排出口１２ｂから排紙される。
【００３２】
次に、上記のように構成したプリンタ１１の電気的構成を説明する。図２は、プリンタ１１の電気的構成を説明するための電気ブロック回路を示す。
プリンタ１１は、ＣＰＵ３１、ＲＯＭ３２、ＲＡＭ３３、入出力インターフェース３４、通信インターフェース３５、バッファ３６、画像キャプチャ部３７、印刷実行部３８を備えている。又、プリンタ１１は、発光制御部４０、センサ４１、送電部４２及び表示装置４３を備えている。
【００３３】
表示制御手段、データ変換手段、及び充電手段を構成するＣＰＵ３１は、ＲＯＭ３２に格納された各種プログラムに従って画像データに基づく印刷のための各種処理や、画像データの授受のための各種処理や、充電のための各種処理等を実行する。ＲＡＭ３３は、各種データや前記ＣＰＵ３１の演算処理結果を一時記憶するメモリである。
【００３４】
第１の入力手段としての入出力インターフェース３４は、ＣＰＵ３１に従って制御される。入出力インターフェース３４は、第１の外部装置としてのコンピュータ端末Ｓ１、テレビジョンＳ２、ファクシミリＳ３とそれぞれケーブルＫ１，Ｋ２，Ｋ３を介して、相互にデータの授受を行う。そして、入出力インターフェース３４は、コンピュータ端末Ｓ１、テレビジョンＳ２、及びファクシミリＳ３からの画像データを入力する。
【００３５】
第２の入力手段としての通信インターフェース３５は、ＣＰＵ３１からの制御信号に基づいて第２の外部装置としてのデジタルカメラＤＣ及び携帯電話ＭＴとの間で無線通信を介して相互にデータの授受を行う。通信インターフェース３５は、無線回路（図示せず）、アンテナ３５ａ等を備え、デジタルカメラＤＣ及び携帯電話ＭＴに対してＣＰＵ３１が生成した各種制御信号を送信する。一方、通信インターフェース３５は、デジタルカメラＤＣ及び携帯電話ＭＴから、識別データ、画像データを受信する。尚、通信インターフェース３５のアンテナ３５ａは、前記表示板１４の下方のケース１２内であって、第４及び第５表示領域Ｚ４，Ｚ５の円形部Ｚ４ａ，Ｚ５ａに対応する位置にそれぞれ配設され、デジタルカメラＤＣ及び携帯電話ＭＴとの間の無線によるデータ授受の感度を上げている。
【００３６】
又、通信インターフェース３５は、ＣＰＵ３１からの制御信号に基づいてリモコンＲＣからの各種操作指令信号を受信し、その指令信号をＣＰＵ３１に出力する。ＣＰＵ３１は、操作指令信号に基づいて、その操作指令信号の内容に基づく処理動作を実行する。
【００３７】
バッファ３６は、前記入出力インターフェース３４及び通信インターフェース３５を介して入力された画像データを一時記憶する。又、バッファ３６は、ＣＰＵ３１が画像データに基づいて作成した印刷データも一時記憶する。
【００３８】
表示制御手段及びデータ変換手段を構成する画像キャプチャ部３７は、ＣＰＵ３１からの制御信号に基づいて前記入出力インターフェース３４を介して、前記テレビジョンＳ２からの画像データを記憶する。この画像データは、前記テレビジョンＳ２の表示部としての画面に映し出されている画像の画像データである。
【００３９】
印刷実行部３８は、例えばＡＳＩＣ等からなり、ＣＰＵ３１からの制御信号に基づいて前記キャリッジ２１、記録ヘッド２２、キャリッジモータ及び紙送りモータ（いずれも図示せず）等を駆動制御する。
【００４０】
発光制御部４０は、ＣＰＵ３１からの制御信号に基づいて、前記第１〜第５表示領域Ｚ１〜Ｚ５を表示する発光素子Ｌ１〜Ｌ３，Ｌ４ａ，Ｌ４ｂ，Ｌ５ａ，Ｌ５ｂを発光制御する。
【００４１】
センサ４１は、フォトセンサ、電磁誘導方式のセンサ等から構成され、前記載置板１５の第４及び第５表示領域Ｚ４，Ｚ５の円形部Ｚ４ａ，Ｚ５ａにデジタルカメラＤＣ又は携帯電話ＭＴが載置されたことを検出する。センサ４１は、デジタルカメラＤＣ又は携帯電話ＭＴが載置されたことを検出した場合は、ＣＰＵ３１に検出信号を送出する。
【００４２】
充電手段を構成する送電部４２は、センサ４１によってデジタルカメラＤＣ又は携帯電話ＭＴが前記円形部Ｚ４ａ，Ｚ５ａで指示された場所に載置されたことが検出された場合に、デジタルカメラＤＣ又は携帯電話ＭＴの充電装置に非接触で充電電圧を供給する。送電部４２は、充電手段を構成する送電コイル４２ａ，４２ｂを備え、ＣＰＵ３１からの制御信号に基づいて送電コイル４２ａ，４２ｂに高周波充電電流を供給制御する。送電コイル４２ａは、前記表示板１４の下方のケース１２内であって、第４表示領域Ｚ４の円形部Ｚ４ａに対応する位置に配設されている。送電コイル４２ｂは、前記表示板１４の下方のケース１２内であって、第５表示領域Ｚ５の円形部Ｚ５ａに対応する位置に配設されている。
【００４３】
表示装置４３は、ＣＰＵ３１からの制御信号に基づいて、前記表示パネル１３に所定のメッセージを表示する。
次に、プリンタ１１の載置板１５に載置され、プリンタ１１との間でデータの授受を行うことができるデジタルカメラＤＣの電気的構成について説明する。
【００４４】
図２に示すように、デジタルカメラＤＣは、ＣＰＵ５１、メモリ５２、操作部５３、撮影実行部５４、表示装置５５、通信インターフェース５６及び充電制御部５７を備えている。
【００４５】
ＣＰＵ５１は、同ＣＰＵ５１内に内蔵されたメモリに格納された各種プログラムに従って撮像のための各種処理や、撮像した画像の画像データの各種処理、充電のための各種処理を実行する。メモリ５２は、ＣＰＵ５１の演算処理結果を一時記憶するとともに撮像して得た画像データを記憶する。
【００４６】
操作部５３は、デジタルカメラＤＣに備えた各操作スイッチを含む入力回路であって、各操作スイッチのオン操作に基づく指令信号をＣＰＵ５１に出力する。ＣＰＵ５１は、指令信号に基づいて、その指令信号の内容に基づく処理動作を実行する。
【００４７】
撮影実行部５４は、ＣＰＵ５１からの制御信号に基づいて画像を撮像し、その撮像した画像を画像データに変換して前記メモリ５２に記憶するようになっている。撮影実行部５４は、レンズ、駆動モータ等の光学機構及びＣＣＤ素子等を含み、これらを駆動制御することによって画像を撮像し画像データを生成する。
【００４８】
表示装置５５は、液晶表示装置であって、ＣＰＵ５１からの制御信号に基づいて、前記表示画面に前記撮影実行部５４にて撮像され、メモリ５２に記憶された画像データに基づいて画像を表示する。
【００４９】
通信インターフェース５６は、ＣＰＵ５１からの制御信号に基づいて、前記プリンタ１１の通信インターフェース３５との間で、無線通信を介して相互に識別データ、画像データ、制御信号等の各種データの授受を行う。通信インターフェース５６は、無線回路を備え、プリンタ１１との間で前記各種データを送受信する。
【００５０】
被充電手段を構成する充電制御部５７は、同じく被充電手段を構成する受電コイル５７ａ及び充電電池５７ｂを備えている。充電制御部５７は、ＣＰＵ５１からの制御信号に基づいて受電コイル５７ａと前記プリンタ１１に設けた送電コイル４２ａ，４２ｂとを非接触カップリングして、受電コイル５７ａに誘導起電力を発生させるようにしている。充電制御部５７は、受電コイル５７ａに発生した誘導起電力を整流して、充電電池５７ｂに充電する。
【００５１】
尚、携帯電話ＭＴは、デジタルカメラＤＣの撮影実行部５４、通信インターフェース５６及び充電制御部５７を同様に備え、同デジタルカメラＤＣと同様な機能を有している。そのため、携帯電話ＭＴについて、前記デジタルカメラＤＣの構成から容易に理解されることから、その説明を省略する。
【００５２】
次に、上記のように構成したプリンタ１１の作用について説明する。
［デジタルカメラＤＣ］
（１．デジタルカメラＤＣが撮像した画像データの取得）
載置板１５の第４又は第５表示領域Ｚ４，Ｚ５の円形部Ｚ４ａ，Ｚ５ａにデジタルカメラＤＣを載置した後、デジタルカメラＤＣが撮像した画像データを入力するために、リモコンＲＣを操作して画像データ読取りの操作を行う。ＣＰＵ３１は、通信インターフェース３５を介して操作指令命令を入力し、同通信インターフェース３５を介してデジタルカメラＤＣの識別データを要求する信号を出力する。デジタルカメラＤＣのＣＰＵ５１は、識別データをプリンタ１１に無線送信する。ＣＰＵ３１は、識別データに基づいて予め登録されたデジタルカメラＤＣの認証をしたとき、画像データの転送要求を出力する。又、ＣＰＵ３１は、発光制御部４０を介して、発光素子Ｌ４ａ，Ｌ４ｂ（又は発光素子Ｌ５ａ，Ｌ５ｂ）を発光させ、第４表示領域Ｚ４（又は第５表示領域Ｚ５）が表示される。従って、第４表示領域Ｚ４（又は第５表示領域Ｚ５）に載置されたデジタルカメラＤＣの画像データを使って、印刷処理が行われていることを確認することができる。
【００５３】
デジタルカメラＤＣのＣＰＵ５１は、画像データの転送要求信号に応答したメモリ５２に記憶した画像データをプリンタ１１に転送する。ＣＰＵ３１は、受信した画像データをバッファ３６に記憶する。ＣＰＵ３１は、表示装置４３を制御してバッファ３６に画像データを記憶した旨のメッセージを表示パネル１３に表示して画像データを取得する処理動作を終了する。
【００５４】
（２．画像データに基づく画像の印刷）
続いて、リモコンＲＣにてバッファ３６に記憶した画像データをテレビジョンＳ２に表示するための操作を行う。ＣＰＵ３１は、その操作指令信号に応答して、バッファ３６に記憶した画像データを画像キャプチャ部３７に出力させる。画像キャプチャ部３７は、画像データをテレビジョンＳ２に表示可能な画像データに変換し、一時記憶する。ＣＰＵ３１は、画像キャプチャ部３７で作成した画像データを入出力インターフェース３４からケーブルＫ２を介してテレビジョンＳ２に出力し、同テレビジョンＳ２の画面に前記デジタルカメラＤＣから転送された画像データの画像を表示させる。従って、テレビジョンＳ２に表示された画像を見ることによって印刷する画像を確認することができる。
【００５５】
続いて、リモコンＲＣを使って印刷開始の操作をすると、ＣＰＵ３１は、通信インターフェース３５を介して操作指令信号を入力し、同指令信号に基づいてバッファ３６に記憶した画像データを印刷データに変換する。ＣＰＵ３１は、作成した印刷データに基づいて印刷実行部３８を駆動制御し、ロール紙に画像を印刷する。印刷が終了すると、ＣＰＵ３１は、表示装置４３を制御して印刷が終了した旨のメッセージを表示パネル１３に表示して、次の新たな操作を待つ。このとき、ＣＰＵ３１は、発光素子Ｌ４ａ，Ｌ４ｂ（又は発光素子Ｌ５ａ，Ｌ５ｂ）の発光を停止させて第４表示領域Ｚ４（又は第５表示領域Ｚ５）の表示を停止させる。
【００５６】
（３．デジタルカメラＤＣの充電）
載置板１５の第４又は第５表示領域Ｚ４，Ｚ５の円形部Ｚ４ａ，Ｚ５ａで指定された場所に、デジタルカメラＤＣを載置すると、センサ４１により載置されたデジタルカメラＤＣが検出される。センサ４１が載置されたデジタルカメラＤＣを検出するとＣＰＵ３１に検出信号が送出され、ＣＰＵ３１は、通信インターフェース３５を介して、デジタルカメラＤＣに対して同デジタルカメラＤＣの識別データを要求する信号を出力する。そして、ＣＰＵ３１は、デジタルカメラＤＣから識別データを取得し、予め登録されたデジタルカメラＤＣの認証を行ったとき、送電部４２を駆動制御して充電動作を開始する。又、発光制御部４０を介して、発光素子Ｌ４ａ（又は発光素子Ｌ５ａ）を発光させる。
【００５７】
送電部４２は、デジタルカメラＤＣが載置されている円形部Ｚ４ａ（又は円形部Ｚ５ａ）に対応した位置に設けられた送電コイル４２ａ（又は送電コイル４２ｂ）に高周波充電電流を供給する。これによって、デジタルカメラＤＣの受電コイル５７ａに誘導起電力が発生する。デジタルカメラＤＣの充電制御部５７は、受電コイル５７ａに発生した誘導起電力を整流して充電電池５７ｂに充電する。そして、デジタルカメラＤＣのＣＰＵ５１は、充電電池５７ｂが所定の量まで充電されたことを充電制御部５７より出力された検出信号によって検知すると、充電停止信号を通信インターフェース５６を介して送信する。
【００５８】
プリンタ１１のＣＰＵ３１は、充電停止信号に応答して送電部４２を制御して送電コイル４２ａ（又は送電コイル４２ｂ）への高周波充電電流の供給を停止させる。このとき、プリンタ１１のＣＰＵ３１は、発光素子Ｌ４ａ（又は発光素子Ｌ５ａ）の発光を停止させて充電処理を終了させる。
【００５９】
尚、携帯電話ＭＴも、前記したようにデジタルカメラＤＣと同様な構成を有し、同デジタルカメラＤＣと同様にデータの取得、印刷及び充電も行われるため、携帯電話ＭＴとプリンタ１１との間の処理動作は説明の便宜上省略する。
【００６０】
［テレビジョンＳ２］
（１．テレビジョンＳ２からの画像データの取得）
テレビジョンＳ２が映し出している画像の画像データを入力すべく、リモコンＲＣを操作すると、操作指令命令がプリンタ１１の通信インターフェース３５にて受信され、ＣＰＵ３１に入力される。ＣＰＵ３１は、テレビジョンＳ２から画像データを入力する操作指令信号と判断する。
【００６１】
ＣＰＵ３１は、発光制御部４０を介して発光素子Ｌ２を発光させる。従って、発光素子Ｌ２の発光によって、表示板１４に第２表示領域Ｚ２が表示される。つまり、第２表示領域Ｚ２を表示させることによって、テレビジョンＳ２との間でデータの授受を行っている旨を示す。又、ＣＰＵ３１は表示装置４３を介して表示パネル１３にテレビジョンＳ２を使った処理を実行している旨のメッセージを表示する。
【００６２】
続いて、テレビジョンＳ２に映し出された画像を取得すべく、リモコンＲＣにて取得開始の操作をする。リモコンＲＣからの操作指令信号に応答して、ＣＰＵ３１は画像キャプチャ部３７に制御信号を出力する。画像キャプチャ部３７は、テレビジョンＳ２の画面に映し出している画像（動画）の画像データを入出力インターフェース３４を介して入力する。画像キャプチャ部３７は、入力した画像データを静止画像データとして記憶する。そして、ＣＰＵ３１は、表示装置４３を制御して、画像キャプチャ部３７に画像データを記憶した旨のメッセージを表示パネル１３に表示して画像データの取得する処理動作を終了する。
【００６３】
このとき、ＣＰＵ３１は、画像キャプチャ部３７に記憶した画像データを入出力インターフェース３４からケーブルＫ２を介してテレビジョンＳ２に出力し、同テレビジョンＳ２の画面にその画像データの画像が表示される。従って、テレビジョンＳ２に表示された画像を見ることによってテレビジョンＳ２から取得した画像を確認することができる。
【００６４】
（２．テレビジョン画像の印刷）
続いて、リモコンＲＣを使って印刷開始の操作をすると、ＣＰＵ３１は、通信インターフェース３５を介して操作指令信号を入力し、同指令信号に基づいて画像キャプチャ３７部に記憶した画像データを印刷データに変換する。ＣＰＵ３１は、作成した印刷データに基づいて印刷実行部３８を駆動制御し、ロール紙に画像を印刷する。印刷が終了すると、ＣＰＵ３１は、表示装置４３を制御して印刷が終了した旨のメッセージを表示パネル１３に表示して、次の新たな操作を待つ。このとき、ＣＰＵ３１は、発光素子Ｌ２の発光を停止させて第２表示領域Ｚ２の表示を終了させる。
【００６５】
［コンピュータ端末Ｓ１］
（１．コンピュータ端末Ｓ１からの画像データの取得）
プリンタ１１は、コンピュータ端末Ｓ１から、入出力インターフェース３４を介して画像データを転送させる信号を受信する。ＣＰＵ３１は発光制御部４０を介して発光素子Ｌ１を発光させ、表示板１４上の第１表示領域Ｚ１を表示させる。従って、第１表示領域Ｚ１を表示させることによって、コンピュータ端末Ｓ１との間でデータの授受を行っている旨を示す。又、ＣＰＵ３１は表示装置４３を介して表示パネル１３にコンピュータ端末Ｓ１を使った処理を実行している旨のメッセージを表示する。
【００６６】
そしてＣＰＵ３１は、入出力インターフェース３４を介してコンピュータ端末Ｓ１との間で相互にデータの授受を行い、コンピュータ端末Ｓ１から画像データを入力しバッファ３６に記憶する。そして、ＣＰＵ３１は、表示装置４３を制御して画像データを取得した旨のメッセージを表示パネル１３に表示して画像データを取得する処理動作を終了する。
【００６７】
（２．コンピュータ端末Ｓ１からの画像データの印刷）
続いて、ＣＰＵ３１はバッファ３６に記憶した画像データを印刷データに変換する。ＣＰＵ３１は、作成した印刷データに基づいて印刷実行部３８を駆動制御し、ロール紙に画像を印刷する。印刷が終了すると、ＣＰＵ３１は表示装置４３を制御して印刷が終了した旨のメッセージを表示パネル１３に表示して、次の新たな操作を待つ。このとき、ＣＰＵ３１は、発光素子Ｌ１の発光を停止させて第１表示領域Ｚ１の表示を停止させる。
【００６８】
［ファクシミリＳ３］
（１．ファクシミリＳ３からの画像データの取得）
プリンタ１１は、ファクシミリＳ３から、入出力インターフェース３４を介して画像データを転送させる信号を受信する。ＣＰＵ３１は、発光制御部４０を介して発光素子Ｌ３を発光させ、表示板１４上の第３表示領域Ｚ３を表示させる。従って、第３表示領域Ｚ３を表示させることによって、ファクシミリＳ３との間でデータの授受を行っている旨を示す。又、ＣＰＵ３１は表示装置４３を介して表示パネル１３にファクシミリＳ３を使った処理を実行している旨のメッセージを表示する。
【００６９】
そしてＣＰＵ３１は、入出力インターフェース３４を介してファクシミリＳ３との間で相互にデータの授受を行い、ファクシミリＳ３から画像データを入力しバッファ３６に記憶する。そして、ＣＰＵ３１は、表示装置４３を制御して画像データを取得した旨のメッセージを表示パネル１３に表示して画像データを取得する処理動作を終了する。
【００７０】
（２．ファクシミリＳ３からの画像データの印刷）
続いて、ＣＰＵ３１はバッファ３６に記憶した画像データを印刷データに変換する。ＣＰＵ３１は、作成した印刷データに基づいて印刷実行部３８を駆動制御し、ロール紙に画像を印刷する。印刷が終了すると、ＣＰＵ３１は表示装置４３を制御して印刷が終了した旨のメッセージを表示パネル１３に表示して、次の新たな操作を待つ。このとき、ＣＰＵ３１は、発光素子Ｌ３の発光を停止させて第３表示領域Ｚ３の表示を停止させる。
【００７１】
上記実施形態によれば、以下のような効果を得ることができる。
（１）上記実施形態では、プリンタ１１の上面に、デジタルカメラＤＣ及び携帯電話ＭＴを載置する場所を指定するための、表示板１４及び載置板１５を備えた。又、表示板１４には、デジタルカメラＤＣ及び携帯電話ＭＴの載置箇所を指定する、第４及び第５表示領域Ｚ４，Ｚ５の円形部Ｚ４ａ，Ｚ５ａを形成した。そして、表示板１４の下方のケース１２内であって、第４及び第５表示領域Ｚ４，Ｚ５の円形部Ｚ４ａ，Ｚ５ａに対応する位置に、通信インターフェース３５のアンテナ３５ａを配設した。
【００７２】
このため、各円形部Ｚ４ａ，Ｚ５ａの上方に載置されたデジタルカメラＤＣ又は携帯電話ＭＴの通信インターフェース５６と、プリンタ１１の通信インターフェース３５との間で、無線による各種データの送受信ができる。従って、プリンタ１１に画像データを入力させる度に、デジタルカメラＤＣ又は携帯電話ＭＴとプリンタ１１とをケーブルで接続させる等の必要がなく、載置板１５の指定された場所にデジタルカメラＤＣ及び携帯電話ＭＴを載置して、画像データをプリンタ１１に入力させることができる。このため、簡単にデジタルカメラＤＣ及び携帯電話ＭＴの画像データを入力し、この画像データに基づいて印刷を行うことができる。
【００７３】
（２）上記実施形態では、プリンタ１１内部に、デジタルカメラＤＣ及び携帯電話ＭＴの受電コイル５７ａに電力を供給するための、送電コイル４２ａ，４２ｂ及び送電部４２を備えた。そして、送電コイル４２ａ，４２ｂを、デジタルカメラＤＣ及び携帯電話ＭＴを載置する場所を指定する、第４及び第５表示領域Ｚ４，Ｚ５の円形部Ｚ４ａ，Ｚ５ａの下方に配設した。
【００７４】
このため、デジタルカメラＤＣ及び携帯電話ＭＴを、プリンタ１１の載置板１５に載置することにより、充電させることができる。又、非接触的に充電させるため、接続端子を設ける必要がない。
【００７５】
（３）上記実施形態では、表示板１４に各表示領域Ｚ１〜Ｚ５を形成した。そして、第１、第２及び第３表示領域Ｚ１，Ｚ２，Ｚ３は、コンピュータ端末Ｓ１、テレビジョンＳ２、ファクシミリＳ３からそれぞれ画像データを受信して印刷処理を行う時に、各表示領域Ｚ１〜Ｚ３の下方に配設された発光素子Ｌ１〜Ｌ３の発光により、それぞれ独立して表示されるようにした。
【００７６】
又、第４表示領域Ｚ４及び第５表示領域Ｚ５は、デジタルカメラＤＣ及び携帯電話ＭＴから画像データを受信し印刷処理を行う時に、第４及び第５表示領域Ｚ４，Ｚ５の下方に配設された発光素子Ｌ４ａ，Ｌ４ｂ，Ｌ５ａ，Ｌ５ｂの発光により表示されるようにした。
【００７７】
又、第４及び第５表示領域Ｚ４，Ｚ５の円形部Ｚ４ａ，Ｚ５ａは、デジタルカメラＤＣ及び携帯電話ＭＴへの充電処理間に、円形部Ｚ４ａ，Ｚ５ａの下方に配設された発光素子Ｌ４ａ，Ｌ５ａの発光により表示されるようにした。
【００７８】
従って、各装置によって表示される領域が異なるため、表示された各表示領域Ｚ１〜Ｚ５を視認することにより、画像データの授受が行われた装置を判別することができる。又、デジタルカメラＤＣ及び携帯電話ＭＴへの充電処理の間は、前記円形部Ｚ４ａ，Ｚ５ａが表示されるため、デジタルカメラＤＣ及び携帯電話ＭＴへの充電が行われていることを確認することができる。
【００７９】
（４）上記実施形態では、プリンタ１１に、画像キャプチャ部３７を備えた。そして、画像キャプチャ部３７により、デジタルカメラＤＣ及び携帯電話ＭＴから入力された画像データを変換して一時記憶し、テレビジョンＳ２に画像を表示させるようにした。又、リモコンＲＣの操作により、テレビジョンＳ２に表示された画像に対応し、画像キャプチャ部３７に一時記憶された画像データに基づいてプリンタ１１により印刷を行うようにした。
【００８０】
このため、デジタルカメラＤＣ及び携帯電話ＭＴの画像データを、テレビジョンに表示して、確認することができる。又、テレビジョンに表示された画像に対応する画像データを選択して印刷することができるため、所望の画像データのみを印刷することができる。
【００８１】
（５）上記実施形態では、画像キャプチャ部３７により、テレビジョンに映し出された画像の画像データを静止画像データとして取得し、印刷データに変換するようにした。そして、この印刷データに基づいて、プリンタ１１により印刷が実行されるようにした。このため、テレビジョンに表示された画像を、プリンタ１１を使用して印刷することができる。
【００８２】
なお、上記実施形態は以下のように変更してもよい。
・上記実施形態では、表示板１４の上側に載置手段としての載置板１５を配設し、この載置板１５上であって、第４及び第５表示領域Ｚ４，Ｚ５の円形部Ｚ４ａ，Ｚ５ａで指定された場所にデジタルカメラＤＣ及び携帯電話ＭＴを載置するようにした。これを、表示板１４を載置手段とし、その表示板１４に形成された第４及び第５表示領域Ｚ４，Ｚ５の円形部Ｚ４ａ，Ｚ５ａに、デジタルカメラＤＣ及び携帯電話ＭＴを直接載置するようにしてもよい。
【００８３】
・上記実施形態では、デジタルカメラＤＣ及び携帯電話ＭＴから出力された画像データを、テレビジョンに表示するようにした。これを、プリンタ１１に接続されたコンピュータ端末Ｓ１に備えられる表示部としてのディスプレイに表示するようにしてもよい。
【００８４】
・上記実施形態では、第２の外部装置をデジタルカメラＤＣ及び携帯電話ＭＴとしたが、ＰＤＡ（Ｐｅｒｓｏｎａｌ  Ｄｉｇｉｔａｌ  Ａｓｓｉｓｔａｎｔ）でもよい。
【００８５】
・上記実施形態では、携帯電話ＭＴは、撮影機能を有するものとしたが、少なくとも画像データを記憶する機能を有していればよい。このとき、この画像データは、インターネット接続機能を有する携帯電話ＭＴにより受信されたデータ等である。
【００８６】
・上記実施形態では、プリンタ１１は、テレビジョン、コンピュータ端末等とケーブルを介して接続されるようにしたが、無線通信を行うようにしてもよい。この場合、各装置には、無線通信を行うための通信インターフェースが備えられると共に、アドレス等の識別データが格納される。
【００８７】
・上記実施形態では、表示板１４に第１〜第５表示領域Ｚ１〜Ｚ５を形成したが、５つに限定されることはなく、データ取得、印刷又は充電を発光にて表示する箇所が表示板１４に備えられていればよい。
【００８８】
・上記実施形態では、通信インターフェース３５及び通信インターフェース５６により、認証が行われるようにしたが、これに限定されるものではなく、無線で、個々の装置の識別が実行できるものであればよい。例えば、デジタルカメラＤＣ等の装置に非接触方式のＩＣチップを配設し、プリンタ１１に同ＩＣチップの読取り装置を設けるようにしてもよい。そして、載置板１５に装置が載置されたときに、ＩＣチップに記憶された識別データを読取り装置が読み取ることで、認証が行われるようにしてもよい。
【００８９】
・上記実施形態では、プリンタ１１にファクシミリを接続するようにしたが、プリンタ１１の内部にモデム等を配設して、ファクシミリを介さずにプリンタ１１にてファクシミリ通信を受信するようにしてもよい。
【００９０】
・上記実施形態では、デジタルカメラＤＣ及び携帯電話ＭＴの画像データを、テレビジョンＳ２に映し出し、映し出した画像のうち印刷したい画像を選択して印刷できるようにした。これを、デジタルカメラＤＣ及び携帯電話ＭＴから入力した画像データを、テレビジョンＳ２にて選択せずに、全て印刷するようにしてもよい。
【図面の簡単な説明】
【図１】本実施形態のプリンタの斜視図。
【図２】本実施形態のプリンタの電気的構成を示すブロック図。
【図３】本実施形態のプリンタの表示板の説明図。
【符号の説明】
１１…印刷装置としてのプリンタ、１５…設置手段としての載置板、３１…表示制御手段、データ変換手段、及び充電手段を構成するＣＰＵ、３４…第１の入力手段としての入出力インターフェース、３５…第２の入力手段としての通信インターフェース、３５ａ…アンテナ、３７…データ変換手段を構成する画像キャプチャ部、４２…充電手段を構成する送電部、４２ａ，４２ｂ…充電手段を構成する送電コイル、４３…表示制御手段を構成する表示装置、５７…被充電手段を構成する充電制御部、５７ａ…被充電手段を構成する受電コイル、５７ｂ…被充電手段を構成する充電電池、ＤＣ…第２の外部装置としてのデジタルカメラ、Ｋ１〜Ｋ３…ケーブル、Ｌ１〜Ｌ３，Ｌ４ａ，Ｌ４ｂ，Ｌ５ａ，Ｌ５ｂ…発光手段としての発光素子、ＭＴ…第２の外部装置としての携帯電話、Ｓ１…第１の外部装置としてのコンピュータ端末、Ｓ２…第１の外部装置としてのテレビジョン、Ｓ３…第１の外部装置としてのファクシミリ、Ｚ４ａ，Ｚ５ａ…設置部としての円形部。
【図１】
2004262091.tif 000003
【図２】
2004262091.tif 000004
【図３】
2004262091.tif 000005